(57)【特許請求の範囲】
【請求項１】
変形可能な略円筒体の容器であって、該容器の胴体部に於ける上下の略中間部位に周設したリング状のリブと、く字の中心点を前記リング状のリブと交えさせると共に、前記容器の胴体部の対向面に形成した１対の略く字状のリブと、前記容器の衿部に略円弧状でなる複数段に形成したリブと、前記容器の側底部の側面に一連に周設した多数個の傾斜リブとを有したことを特徴とする容器の構造。
【発明の詳細な説明】
【０００１】
【発明の属する技術分野】
本発明は、例えば、味噌等各種の食品、各種の薬液や化石燃料、業務用洗剤等を充填した容器やその他の変形可能な略円筒体の容器であって、その衿部、胴体部及び側底部の内側又は外側に突出するリブを形成し、使用済み後の廃棄時における当該容器の減容化を実現した容器の構造に関するものである。
【０００２】
【従来の技術】
この種、従来の技術における各種の食品や業務用洗剤等の被充填物を充填した変形可能な各種の容器は図４に示すものであった。当該技術について、説明すれば、１は容器本体であり、その内部には業務用洗剤等の被充填物２が充填されている。その開口部３は略円形で成形され、胴体部４が略円筒体を有している。
【０００３】
また、従来の技術において、図５に示すように特開２０００―１４２６５５号公開特許公報に開示された技術がある。当該技術について説明すれば、５は略四角体の容器本体であり、その内部には各種の薬液等の被充填物(開示せず)が充填されている。その側面部６は上、下段に横リブ７、８を延在形成させている。また該側面部６は前記横リブ７、７及び横リブ８、８の相互隙間内に縦リブ９及び該縦リブ９の上下端に分岐リブ１０、１０を一連に延在形成している。
【０００４】
【発明が解決しようとする課題】
従来の技術は上述した構成であるので、次の課題が存在した。
図４に示す容器の場合は容器本体１の胴体部４には、リブ等の形状、構成を備えておらず、消費者が当該容器本体１内に充填されている業務用洗剤等の被充填物２を使用完了後、当該容器１を廃棄するとき、当該容器１の押潰しや減容化をすることが出来ず、廃棄作業が困難であった。
【０００５】
従来の技術において、図５に示す特開２０００―１４２６５５号公開特許公報に開示された技術は、前記容器本体５の側面部６が各リブ７、８、９及び１０を備えており、消費者が当該容器本体５内に充填されている各種の薬液等の被充填物を使用完了後、当該容器本体５を廃棄するために、図５に示す矢印Ｐ1、Ｐ２の方向、つまり当該容器本体５の横方向から押圧力を付与し、減容化を図るものであった。しかしながら、当該容器本体５の減容化後の形態は、水平面に対して立設しており、占積率が高く、減容効果に限界があり、これを廃棄する場合、運搬上不利不便であった。
【０００６】
本発明に係る容器の構造は、変形可能な略円筒体の容器であって、該容器の胴体部、衿部及び側底部の内側又は外側に突出するリブを形成した構成とし、当該容器に充填された業務用洗剤等の被充填物を取出して消費者が使用完了後、当該容器を上方から下方へ押し潰し可能となし、当該容器の減容化を図るべくした容器の構造を提供することを目的とする。
【０００７】
【課題を解決するための手段】
本発明に係る容器の構造は、上述した課題を解決するために次の構成、手段を採用した。
【０００８】
請求項１記載の発明によれば、変形可能な略円筒体の容器であって、該容器の胴体部に於ける上下の略中間部位に周設したリング状のリブと、く字の中心点を前記リング状のリブと交えさせると共に、前記容器の胴体部の対向面に形成した１対の略く字状のリブと、前記容器の衿部に略円弧状でなる複数段に形成したリブと、前記容器の側底部の側面に一連に周設した多数個の傾斜リブとを有したことを特徴とする容器の構造。
【０００９】
【発明の実施の形態】
以下、本発明に係る容器の構造に於ける実施の形態１について、添付図面に基づき、説明する。
図１は開口部が、略円形の本発明に係る容器の構造であって、この構造を示すものの正面図である。１１は略円筒形体の容器本体であって、変形可能に一体成形されてなる。当該容器本体１１は各種の薬液や化石燃料、業務用洗剤等被充填物１１ａを充填する器である。
当該容器本体１１は、ポリオレフィン等熱可塑性を持つ高分子材料を主原料とし、必要に応じて顔料等に副資材を配合して成形固化してなるプラスチック材、ゴム弾性体やその他合成樹脂材で成形されてなる樹脂成形材等で構成されている。また、当該容器本体１１は、単層又は多層のプラスチック材、紙材、プラスチック材及び紙材の多層体で構成される外に高密度ポリエチレンと低密度ポリエチレンを混合した合成樹脂で成形することもできる。
また当該容器本体１１の開口部１２は略真円形状に構成されている。前記開口部１２の外側面は蓋キャップ(開示せず)を螺合するためのねじ突起１２ａを形成している。当該容器本体１１の側面部の垂直方向の略中間部位には、リブ１４を当該側面部の内側に突出して備えている。すなわち前記側面部は概ね全体で筒体でなり、前記容器本体１１のいわゆる胴体部１３を構成し、これらの略中間部位に前記リブ１４を略リング状に周設した構成となっている。前記リブ１４は断面形状が略円弧状でなり、上記容器本体１１の胴体部１３の内側に突出形成している。
【００１０】
尚、上記の説明に於いてリブ１４は断面形状が略円弧状であるが、本発明はこれに限定されることなく、例えば、断面形状が略山形形状、や略コ字状突起形状等の変形例でもよい。また、上記リブ１４は、胴体部１３の外側に突出させた構成でもよい。
【００１１】
尚、図１に於いて、前記リブ１４は更に、前記容器本体１１の胴体部１３の上、下段に複数個追加形成してもよい。すなわち、本発明の実施の形態１では、胴体部１３の上段にリブ１５を、該胴体部１３に下段にリブ１６をそれぞれ内側又は外側に突出かつ周設形成している。
【００１２】
次に図２に基き、本発明に係る容器の構造における実施の形態２について説明する。
図２は、開口部１２が略真円形の本発明に係る容器の構造であって、この構造を示すものの側面図である。当該本発明の実施の形態２は前記実施の形態１の構成に更に、略＜字状リブ１７を加えた構成である。該略＜字状リブ１７は図２に示すように胴体部１３に設けた前記リブ１４の水平位置に、略＜字状の中心点Ａが一致するように当該胴体部１３の内側に突出するリブとなっている。そして、本発明の実施の形態に於いては、２つの略＜字状リブ１７、１８を同一の胴体部１３に距離Ｓを有して対向させて、構成してある。
一方の略＜字状リブ１８の中心点Ｂは、前記略＜字状リブ１７と同様に、前記リブ１４の水平位置に一致させるように配置している。また前記略＜字状リブ１７、１８は該胴体部１３の対向面に一対に形成している。
【００１３】
前記略＜字状リブ１７、１８の形状は前記本発明の実施の形態１で説明した前記リブ１４の形状と同様に、断面が円弧状でなり、適宜の構造を採択するものとし、また胴体部１３の外側に突出させた構成でもよいことは勿論である。これらの略＜字状リブ１７、１８およびリブ１４の寸法や変形例は、当該容器本体１１の厚さや形状等の設計仕様に適合させて採択される。
【００１４】
次に、図１、及び図２に基づき、本発明に係る容器の構造に於ける実施の形態３について説明する。
前記容器本体１１は、前記開口部１２と前記胴体部１３との間に、衿部１９を一体に形成している。該衿部１９は中突状の略円錐型を構成しており、垂直方向の略中間部位には、横リブ２０を内側に突出形成している。前記横リブ２０は全体が略円弧状に延在形成しているが、直線状に構成することも出来る。
【００１５】
尚、上記の説明に於いて、横リブ２０は断面形状が略円弧状であるが、本発明はこれに限定されることなく、例えば、断面形状が略山形形状、や略コ字状突起形状等の変形例でもよい。また、上記横リブ２０は前記衿部１９の外側に突出させた構成でもよい。尚、前記横リブ２０は、図１に於いて、前記容器本体１１の衿部１９の下段に形成すると共に、該衿部１９の中段に横リブ２１、及び該衿部１９の上段に横リブ２２を追加形成してもよい。
すなわち、本発明の実施の形態２では、前記容器本体１１の衿部１９に横リブ２０、２１、及び２２をそれぞれ内側又は外側に突出形成している。また、前記横リブ２０、２１、及び２２は、前記衿部９に垂直方向であって、順次相互間隔を有して配置することや前記衿部１９の左右交互に配置、いわゆる千鳥型配列形成することもできる。そして、これらの横リブ２０、２１、及び２２の寸法や変形例は、当該容器本体１１の厚さや形状等の設計仕様に適合させて採択される。
【００１６】
次に、図１、及び図２に基づき、本発明に係る容器の構造に於ける実施の形態４について説明する。
前記容器本体１１は、前記胴体部１３の下方に側底部２３を該胴体部１３と一体形成している。前記側底部２３は周部が前記胴体部１３と同一形状の円筒体で形成されており、その底面は緩やかであってかつ容器本体１１の開口部１２側に向かって突出した円弧面２４を形成している。
【００１７】
前記側底部２３の側面は例えば、４５°の所定角度傾斜させた傾斜リブ２５の多数個を適宜間隙を有して一連に内側に突出しかつ周設している。つまり、傾斜リブ２５群とを前記側底部２３に周設した構成である。
【００１８】
尚、上記の説明に於いて、傾斜リブ２５は断面形状が略円弧状であるが、本発明はこれに限定されることなく、例えば、断面形状が略山形形状や略コ字状突起形状等の変形例でもよい。そして、前記傾斜リブ２５に代えて、所定幅の横リブや半球状リブ群であっても差支えない。また、上記傾斜リブ２５は前記側底部２３の外側に突出させた構成でもよい。そして、これらの傾斜リブ２５、横リブや半球状リブは前記容器本体１１の側低部２３の側面の外側に突出形成してもよく、前記各リブの寸法や変形例は当該容器本体１１の厚さや形状等の設計仕様に適合させて採択される。
【００１９】
また、前記容器本体１１の側底部２３の側面に前記傾斜リブ２５や横リブ又は半球状リブを設ければその各リブ相互間が凹凸状を呈する。そして、例えば当該容器本体１１内に固型状や粉体状の被充填物１１ａを充填した場合、使用時や運搬時に当該容器本体１１を反転しても、上記側底部２３の内面が凹凸状であるので、これが該被充填物１１ａの落下現象を抑制する効果がある。更に、使用者（消費者）が当該傾斜リブ２５等を指でプッシュ動作すれば、該傾斜リブ２５内やその近隣に残留した被充填物１１ａを強制的に離脱させることができる。尚、図中２６は当該容器本体１１の側底部２３の底面に設けた把手であり、該底面の両端に橋架する如く備えている。
当該把手２６は該容器本体１１内の被充填物１１ａを使用時に外方に取出す場合、当該使用者が把持するためのものである。
【００２０】
次に、容器本体１１の中に充填された業務用洗剤等の被充填物１１ａが使用者によって使用完了後、当該容器本体１１を廃棄する動作について説明する。
図３は、前記本発明に係る実施の形態１ないし４の組合わせ構成に於いて、当該容器本体１１を押し潰したときの状態を示す斜視図である。
【００２１】
先ず図２に於いて、当該容器本体１１の胴体部１３の左右を使用者の手で矢視Ｐ３、Ｐ４のように加圧する。前記リブ１４において、加圧された該胴体部１３の中間部分が容器本体１１の内方に押込まれ、当該容器１１のいわゆる胴体部１３の側部がくびれた形態を呈する。そして当該容器本体１１の減容化を行い、使用済み後の当該容器本体１１の廃棄を容易に実施することができる。
【００２２】
更に、当該容器本体１１は図１に示す矢印Ｐ５及びＰ６の方向に加圧する。該矢印Ｐ５の加圧により、前記容器本体１１の衿部１９に備えている前記横リブ２０、２１及び２２が該衿部１９の内方に押込まれる。そして、該衿部１９は押し潰され、概ね平坦状の形状となる。また、一方、前記容器本体１１は、図１に示す矢印Ｐ６方向の加圧により、前記容器本体１１の側底部２３の底面（円弧面）２４が押圧される。そして、該側底部２３の側面に形成した傾斜リブ２５が変形し、当該側底部２３の全体が押し潰されると共に前記衿部１９と同様に、概ね平坦状の形状となる。
【００２３】
以上説明した押し潰し手順により、当該容器本体１１は上下方向に押し潰されると図３に示す形態となる。すなわち、当該容器本体１１の衿部１９、胴体部１３及び側底部２３がそれぞれ扁平化される。該容器本体１１は全体として平坦であって、大幅な減容化を実現することが判明した。そして、前記開口部１２がリブ１５に、前記リブ１５がリブ１４に、前記リブ１４がリブ１６にそれぞれ隣接して変形されることとなる。
【００２４】
次に、実験によれば、前述した本発明に係る容器本体１１であって、当該容器本体１１内に充填された業務用洗剤等の被充填物１１ａが使用者によって、使用完了後、当該容器本体１１内を廃棄する際、当該容器本体１１の上方から下方に押し潰す場合、最適の設計仕様は、厚さ０.３ｍｍ〜０.７ｍｍであり、その最適値は０.４ｍｍであった。
【００２５】
本発明に係る容器の構造は、上述した構成、動作であるので、次の特有な効果を備えているものである。
請求項１記載の発明によれば、変形可能な略円筒体の容器であって、該容器の胴体部に於ける上下の略中間部位に周設したリング状のリブと、く字の中心点を前記リング状のリブと交えさせると共に、前記容器の胴体部の対向面に形成した１対の略く字状のリブと、前記容器の衿部に略円弧状でなる複数段に形成したリブと、前記容器の側底部の側面に一連に周設した多数個の傾斜リブとを有したことを特徴とする容器の構造である。
このような構成としたので、略円筒体の容器に於ける胴体部の押し潰し作業が極めて簡単かつ迅速に行なうことができ、当該容器本体を反転した場合にも、充填した業務用洗剤等の被充填物の落下を抑制することができると共に、傾斜リブ又は横リブ等を指でプッシュ操作することにより残留した被充填物を容器本体の内壁から完全に離脱せしめることができるので当該被充填物の活用を図ることができる。また当該容器の胴体部の対向面に一対の略＜字状の形状リブを形成したので更に胴体部の押し潰し効果を助長することができる。そして、該容器の側底部の側面に多数個を周設した傾斜リブを形成したので更に衿部の押し潰し作業が極めて簡単かつ迅速に行なうことができるに加えて、略円筒体の容器を上方からの押し潰し作業が極めて簡単かつ迅速に行なうことができると共に押し潰し後の容器本体が全体として扁平化が図られ、減容化が著大となるという種々の効果がある。
【図面の簡単な説明】
【図１】本発明に係る容器の構造であって、実施の形態を示す正面図である。
【図２】本発明に係る容器の構造であって、実施の形態を示す側面図である。
【図３】本発明に係る容器の構造であって、当該容器本体を押し潰した状態を示す傾斜図である。
【図４】従来の技術に於ける容器の構造の例を示す正面図である。
【図５】従来の技術に於ける容器の構造であって、他の例を示す斜視図である。
【符号の説明】
１１                容器本体
１１ａ              被充填物
１２                開口部
１２ａ              ねじ突起
１３                胴体部
１４、１５、１６    リブ
１７、１８          略＜字状リブ
１９                衿部
２０、２１、２２    横リブ
２３                側底部
２４                円弧面(底面)
２５                傾斜リブ
２６                把手
【図１】
0004439104.tif 000002
【図２】
0004439104.tif 000003
【図３】
0004439104.tif 000004
【図４】
0004439104.tif 000005
【図５】
0004439104.tif 000006